(57)【要約】【課題】電動機の冷却性能を長期維持できる床ブラシおよび電気掃除機を提供する。【解決手段】床ブラシ24は、ケース体31と、フィルタ54と、電動機38と、フィルタ清掃部63とを有する。ケース体31は、吸込口と、電動機室48と、開口部35とを備える。吸込口は、床面に対向する下部に開口される。電動機室48は、吸込口と連通する。開口部35は、下部を除く位置に開口され電動機室48と連通する。フィルタ54は、開口部35を覆って配置される。電動機38は、電動機室48に収容され、通電によって発熱する。フィルタ清掃部63は、フィルタ54に付着した塵埃を除去する。【選択図】図１
2017144054.tif 000002
【特許請求の範囲】
【請求項１】
被掃除面に対向する下部に開口された吸込口、この吸込口と連通する通電部収容室、下部を除く位置に開口され前記通電部収容室と連通する開口部を備えたケース体と、
前記開口部を覆って配置されたフィルタと、
前記通電部収容室に収容され、通電によって発熱する通電部と、
前記フィルタに付着した塵埃を除去する除塵手段と
を具備したことを特徴とした吸込口体。
【請求項２】
ケース体に回動可能に接続され吸込口と連通する接続管を具備し、
除塵手段は、前記ケース体に対する前記接続管の回動に連動して移動する
ことを特徴とした請求項１記載の吸込口体。
【請求項３】
接続管は、ケース体に対して上下方向に回動可能であり、
除塵手段は、前記ケース体に対する前記接続管の上下方向の回動に連動して上下動する
ことを特徴とした請求項２記載の吸込口体。
【請求項４】
フィルタは、上下方向の中央部が、接続管の上下方向の回動範囲の中央部と略一致している
ことを特徴とした請求項３記載の吸込口体。
【請求項５】
除塵手段は、フィルタの表面を摺動することによりこのフィルタに付着した塵埃を除去する
ことを特徴とした請求項１ないし４いずれか一記載の吸込口体。
【請求項６】
除塵手段は、
フィルタに対向して塵埃を吸い込む吸込風路を区画する区画部と、
この区画部と負圧が作用する部分とを連通する連通部とを備えている
ことを特徴とした請求項１ないし４いずれか一記載の吸込口体。
【請求項７】
除塵手段は、被掃除面に対するケース体の相対的な移動に連動してフィルタに付着した塵埃を除去する
ことを特徴とした請求項１記載の吸込口体。
【請求項８】
除塵手段は、
ケース体の下部に設けられ被掃除面との摺動抵抗により動作する検知部と、
この検知部の動作に連動しフィルタの表面を摺動することによりこのフィルタに付着した塵埃を除去する除去部とを備えている
ことを特徴とした請求項７記載の吸込口体。
【請求項９】
電動送風機を備えた掃除機本体と、
前記電動送風機の吸込側と連通する請求項１ないし８いずれか一記載の吸込口体と
を具備したことを特徴とした電気掃除機。
【発明の詳細な説明】
【技術分野】
【０００１】
本発明の実施形態は、通電によって発熱する通電部を通電部収容室に収容する吸込口体およびこれを備えた電気掃除機に関する。
【背景技術】
【０００２】
従来、電気掃除機の延長管や掃除機本体に接続されて用いられる吸込口体としての床ブラシとして、回転清掃体である回転ブラシや車輪を電動機によって駆動させるものがある。近年、床ブラシの使い勝手を向上することを目的として、小型化および軽量化が求められるとともに、操作性の向上への要求から自走性が求められ、電動機を小型化しつつ高い負荷状態で使用する状態となっている。
【０００３】
通常、電動機とこの電動機の動作を制御する制御回路とは、床ブラシのケース体の内部に区画された電動機室や制御室内に収容されており、電動送風機の駆動によって生じる負圧を利用して、ケース体の外面部の後面あるいは側面に開口された開口部から電動機室や制御室に外気を吸い込む気流を発生させて、電動機や制御回路を冷却するように構成されている。
【０００４】
開口部は、被掃除面に比較的近い位置であるため、被掃除面から舞い上がった塵埃が開口部から入り込んで電動機や制御回路に付着しないように、開口部にフィルタを設けている。このため、使用回数(使用時間)の増加に伴い、フィルタに塵埃が付着することで通気性が低下する。そこで、電動気室や制御室に吸い込む空気の量が減少し電動機や制御回路の冷却効果が減衰しないようにすることが求められる。
【先行技術文献】
【特許文献】
【０００５】
【特許文献１】特開２０１３−１８８４４４号公報
【発明の概要】
【発明が解決しようとする課題】
【０００６】
本発明が解決しようとする課題は、通電部の冷却性能を長期維持できる吸込口体およびこれを備えた電気掃除機を提供することである。
【課題を解決するための手段】
【０００７】
実施形態の吸込口体は、ケース体と、フィルタと、通電部と、除塵手段とを有する。ケース体は、吸込口と、通電部収容室と、開口部とを備える。吸込口は、被掃除面に対向する下部に開口される。通電部収容室は、吸込口と連通する。開口部は、下部を除く位置に開口され通電部収容室と連通する。フィルタは、開口部を覆って配置される。通電部は、通電部収容室に収容され、通電によって発熱する。除塵手段は、フィルタに付着した塵埃を除去する。
【図面の簡単な説明】
【０００８】
【図１】第１の実施形態の吸込口体を後方から示す斜視図である。
【図２】(a)は図１のＩ−Ｉ相当位置の断面図、(b)は図１のII−II相当位置の断面図である。
【図３】同上吸込口体を下方から示す斜視図である。
【図４】同上吸込口体を備えた電気掃除機の掃除時の動作を模式的に示す側面図である。
【図５】同上電気掃除機の斜視図である。
【図６】同上電気掃除機の収納状態を示す斜視図である。
【図７】第２の実施形態の吸込口体の一部を示す断面図である。
【図８】第３の実施形態の吸込口体の一部を示す斜視図である。
【図９】(a)は吸込口体が前進した状態での図８のIII−III相当位置の断面図、(b)は吸込口体が後退した状態での図８のIII−III相当位置の断面図である。
【図１０】(a)は図８のIV−IV相当位置の断面図、(b)は図８のＶ−Ｖ相当位置の断面図である。
【発明を実施するための形態】
【０００９】
以下、第１の実施形態の構成を、図面を参照して説明する。
【００１０】
図５において、11はいわゆるキャニスタ型の電気掃除機を示し、この電気掃除機11は、掃除機本体12と、この掃除機本体12に対して着脱可能に接続される風路形成体である管部13とを有している。
【００１１】
掃除機本体12は、被掃除面としての床面上を旋回および走行可能であり、電動送風機15、この電動送風機15の動作を制御する図示しない本体制御部、および、これら電動送風機15および本体制御部などに給電するためのコードリール装置、あるいは二次電池などの電源部などを収容しているとともに、電動送風機15の吸込側に連通する集塵部18を備えている。また、掃除機本体12の前部には、集塵部18に連通するとともに管部13の基端側が接続される本体吸込口19が開口形成されている。なお、本実施形態では、集塵部18として例えば掃除機本体12の内部に着脱される紙パックなどを用いるが、例えばサイクロン分離式の集塵部やフィルタなど、任意の集塵部を用いることもできる。
【００１２】
管部13は、ホース体21と、このホース体21に対して着脱可能な例えば合成樹脂製の延長管22と、この延長管22に対して着脱可能な吸込口体としての床ブラシ24とを備えている。
【００１３】
ホース体21は、可撓性を有するホース部25と、このホース部25の基端側(下流側)に設けられ本体吸込口19に接続される接続管部26と、ホース部25の先端側(上流側)に設けられた手元操作部27とを有している。
【００１４】
手元操作部27には、延長管22の基端側(下流側)が着脱可能に接続される。また、この手元操作部27には、使用者が把持する把持部28が基端側に突出して形成されており、この把持部28には電動送風機15の動作モードなどを設定するための設定ボタン29が配置されている。
【００１５】
そして、床ブラシ24は、床面上を走行させることにより床面上の塵埃を吸い込むものである。なお、以下、前後方向および左右方向(両側方向、幅方向)はこの床ブラシ24の走行方向を基準とし、上下方向は床ブラシ24を平坦な床面上に載置した状態での反重力方向および重力方向とする。この床ブラシ24は、左右方向に延びる長手状、すなわち横長に形成されたケース体31と、このケース体31の後部に回転可能に接続され延長管22の先端側(上流側)に着脱可能に接続される接続管32とを備えている。
【００１６】
ケース体31には、概略として、図３に示す吸込口34、図１などに示す開口部35、通気開口部(図示せず)および接続開口部37が開口され、図３に示す通電部としての電動機(モータ)38と、この電動機38により回転駆動される被駆動部としての回転清掃体(回転体)である回転ブラシ39と、電動機38の駆動力を回転ブラシ39に伝達する図示しない伝達部と、電動機38の動作を制御する制御部41とがそれぞれ備えられている。また、このケース体31には、吸込口34と連通する吸込溝42が設けられていてもよい。さらに、このケース体31は、例えば合成樹脂などにより形成された複数のケース本体に分割されている。そして、このケース体31には、回転ブラシ39が取り付けられる吸込室47と、電動機38が収容される通電部収容室としての電動機室48と、伝達部が収容される駆動室49と、制御部41が収容される制御室50とがそれぞれ区画されている。
【００１７】
吸込口34は、ケース体31の被掃除面に対向する下部に位置しており、左右方向に長手状に延び、吸込室47の下部および前部を開口する。この吸込口34は、接続管32と連通し、(延長管22およびホース体21(図５)などを介して)電動送風機15(図５)の吸込側と連通する。したがって、この吸込口34は、電動送風機15(図５)の駆動により負圧が作用する負圧作用部となっている。
【００１８】
図１に示す開口部35は、電動機38の冷却用の空気として外気を電動機室48に吸い込むもので、ケース体31の下部を除く位置、すなわちケース体31の上部または後部に配置される。本実施形態では、この開口部35は、ケース体31の上側後部にて接続管32(接続開口部37)の一側近傍に位置している。具体的に、この開口部35は、ケース体31の上部から後部に亘って配置されており、ケース体31の上部から後部に亘る湾曲部52に沿って位置している。また、この開口部35は、電動機38(電動機室48)の上側後部に位置している。この開口部35は、四角形状に形成されている。そして、この開口部35には、フィルタ54が取り付けられている。このフィルタ54は、開口部35全体を覆っており、この開口部35から電動機室48に吸い込む空気に含まれる塵埃を吸着するものである。また、このフィルタ54(開口部35)は、上下方向の中央部が、接続管32の上下方向の回動範囲の中央部と略一致している。
【００１９】
通気開口部は、制御部41(図３)の冷却用の空気として外気を制御室50に吸い込むもので、ケース体31の下部を除く位置、すなわちケース体31の上部または後部に配置される。本実施形態では、通気開口部は、ケース体31の上側の後部に位置している。また、この通気開口部は、制御室50の上方に位置している。したがって、この通気開口部は、接続管32(接続開口部37)の他側近傍に位置している。換言すれば、この通気開口部は、接続管32(接続開口部37)を挟んで、開口部35と反対側に配置されている。この通気開口部は、例えばスリット状に形成されている。また、この通気開口部には、フィルタが取り付けられている。このフィルタは、通気開口部から制御室50に吸い込む空気に含まれる塵埃を吸着するものである。
【００２０】
接続開口部37は、ケース体31と接続管32とを接続する開口部である。すなわち、この接続開口部37には、接続管32が取り付けられる。この接続開口部37は、ケース体31の左右方向の中央部、すなわち電動機室48と制御室50との間にてケース体31の後部に開口されている。この接続開口部37は、ケース体31の上部から後部に亘り、湾曲部52に沿って位置している。また、この接続開口部37は、開口部35よりも上下方向の範囲が広く設定されている。すなわち、この接続開口部37は、前端部が開口部35の前端部よりも前方に位置し、後端部である下端部が開口部35の後端部である下端部よりも後方(下方)に位置している。
【００２１】
図３に示す電動機38は、管部13(図５)を介して掃除機本体12(図５)の電源部から給電されて動作し発熱するものである。この電動機38は、左右方向に軸方向を沿わせた状態で電動機室48に収容されている。この電動機38は、例えば放熱性に優れたアルミニウムなどの金属製などの略円筒状のケースの内部に、ロータ、および、例えばネオジム磁石により構成されたステータなどの電動機本体が配置されている。ロータと一体の出力軸である回転軸は、ケースの一端部から外部へと導出されて駆動室49に挿入されている。また、この電動機38には、図示しないリード線がカーボンブラシなどに電気的に接続されており、これらリード線が接続管32の下部を通して制御室50側に接続されている。
【００２２】
回転ブラシ39は、絨毯などの床面に入り込んだ塵埃を回転によって掻き出すものである。この回転ブラシ39は、吸込室47の長手方向である左右方向に沿って軸方向を有するように配置されており、一端側が駆動室49内に挿入された状態で両端がそれぞれケース体31に軸支されている。また、この回転ブラシ39は、例えば合成樹脂製などのブラシ毛や軟質の合成樹脂製のブレードなどの清掃部材39aを外周面の周方向に複数有しており、これら清掃部材39aが一端から他端へと螺旋状にねじられて配置されている。
【００２３】
伝達部は、例えば電動機38の回転軸に取り付けられたプーリと、このプーリと回転ブラシ39の一端との間に巻き掛けられたタイミングベルトとにより構成されており、電動機38の回転に伴って回転ブラシ39を例えば電動機38の回転と同方向に回転駆動させるようになっている。
【００２４】
制御部41は、管部13(図５)を介して掃除機本体12(図５)の電源部から給電されている。この制御部41には、電動機38と電気的に接続された図示しないリード線の他に、接続管32の内部(接続管32内の風路の外部)および延長管22(図５)の内部(延長管22(図５)内の風路の外部)を通して設定ボタン29(図５)や電動機室48側(電動機38)と電気的に接続されたリード線などが電気的に接続されている。そして、この制御部41は、例えば手元操作部27(図５)の設定ボタン29(図５)の操作による設定などに応じて電動機38の駆動をオンオフするように制御する。
【００２５】
吸込溝42は、電動送風機15(図５)の駆動により負圧が作用して、ケース体31の側方の床面の塵埃を吸込口34へと引き込む負圧作用部である。この吸込溝42は、ケース体31の下部にて吸込口34の両側に左右方向に沿って設けられている。これら吸込溝42は、吸込口31とケース体31の側方の外部とをそれぞれ連通している。すなわち、これら吸込溝42は、ケース体31の側面に一端が開口するように形成されている。
【００２６】
吸込室47は、ケース体31の前部に位置して左右に長手状に延びている。この吸込室47の後部と電動機室48および制御室50とを前後に区画する隔壁部56には、左右方向の中央部に、接続管32と吸込室47とを連通する接続口58が開口されている。また、この隔壁部56には、吸込室47と電動機室48とを連通する連通開口部59と、吸込室47と制御室50とを連通する図示しない排気開口部とがそれぞれ開口されている。
【００２７】
電動機室48は、吸込室47の後部一側に隣接し、接続管32の一側に位置している。また、この電動機室48は、開口部35(図１)を介してケース体31の外部(上部)と連通するとともに、連通開口部59を介して吸込室47と連通している。
【００２８】
駆動室49は、前後方向に沿って長手状に形成されている。この駆動室49には、回転ブラシ39の一端側と電動機38の回転軸とがそれぞれ挿入されている。そして、この駆動室49には、伝達部が収容されている。
【００２９】
制御室50は、吸込室47の後部他側に隣接し、接続管32の他側に位置している。すなわち、この制御室50は、接続管32に対して電動機室48と反対側に位置している。また、この制御室50は、隔壁部56を介して前部が吸込室47と隣接している。すなわち、隔壁部56は、吸込室47と制御室50との間に介在されている。さらに、この制御室50内には、電動機38の駆動を制御する制御部41が収容されている。
【００３０】
一方、図５に示す接続管32は、吸込口34(図３)と電動送風機15の吸込側とを連通するもので、延長管22の上流端またはホース体21の上流端に着脱可能に接続される。この接続管32は、ケース体31に対して上下方向(図１および図２(a)の矢印A1方向)に回動可能に軸支されている。具体的に、この接続管32は、図１に示すように、円筒状の接続管本体61と、この接続管本体61をケース体31に対して軸支する軸支部としてのシャッタ部62とを一体的に備えている。また、この接続管32には、フィルタ54に付着した塵埃を除去する除塵手段(除塵部)としてのフィルタ清掃部63が設けられている。そして、この接続管32は、接続開口部37に取り付けられてケース体31の後部から後方へと突出し、接続口58を介して図３に示す吸込室47(吸込口34)と連通されている。
【００３１】
図１に示す接続管本体61は、延長管22(図５)に接続される部分である。この接続管本体61は、直管状でもよいし、屈曲されていてもよい。また、この接続管本体61は、シャッタ部62に対して軸回り方向(矢印A2方向)に回動可能に接続されていてもよい。
【００３２】
シャッタ部62は、接続開口部37を覆い、ケース体31に対して気密に摺動する部分である。このシャッタ部62は、図１、図２(a)および図２(b)に示すように、軸支部本体としてのシャッタ部本体65と、このシャッタ部本体65に突設された接続部66とを一体に有している。そして、このシャッタ部62は、前側が開口されている。
【００３３】
シャッタ部本体65は、図２(a)に示すように、円弧に沿って湾曲された半円筒状の摺動部71と、ケース体31に軸支される回動軸部72を備え摺動部71の両側を覆う側面部73(一方のみ図示)とを備えている。
【００３４】
摺動部71は、図１に示すように、ケース体31の内部に挿入され、接続開口部37と密着されてこの接続開口部37を覆っている。この摺動部71は、図２(a)に示すように、回動軸部72を中心軸とする円筒面に沿って湾曲して形成されており、ケース体31の後部の湾曲部52の湾曲に沿っている。すなわち、この摺動部71は、後側に凸となるように湾曲されている。したがって、この摺動部71は、ケース体31(接続開口部37(図２(b)))とシャッタ部62との隙間を閉塞しており、シャッタ部62(接続管32)がケース体31に対して上下方向に回動することでケース体31の内面(接続開口部37(図２(b))の周縁)と摺接されて隙間の閉塞状態を維持するように構成されている。
【００３５】
回動軸部72は、図２(b)に示すように、ケース体31の内部の軸受部75に軸支され、接続管32(シャッタ部62)をケース体31に対して上下方向に回動可能としている。
【００３６】
接続部66は、図１に示すように、接続管本体61の上流端側(前端側)が接続される部分であり、シャッタ部本体65の摺動部71の略中央部に配置されている。この接続部66は、円筒状に形成されている。なお、この接続部66には、接続管本体61をシャッタ部62に対して軸回り方向(矢印A2方向)に回動可能とする場合、この接続管本体61との隙間を閉塞するシール部材が配置されていることが望ましいが、接続管本体61をシャッタ部62に対して軸回り方向に回動可能としない場合には、接続管本体61と一体に設けられていてもよい。
【００３７】
そして、フィルタ清掃部63は、シャッタ部62(シャッタ部本体65)の一側に突設され、接続開口部37の側縁部から一側へと突出して開口部35(フィルタ54)の後部に対向している。このフィルタ清掃部63は、上下方向の位置が、接続管32(シャッタ部62)の上下方向の回動範囲の中央部と一致している。このため、このフィルタ清掃部63は、接続管32の回動、本実施形態では上下方向の回動に連動して上下動するように構成され、接続管32をケース体31に対して後方上側に傾斜する通常の掃除位置(図１に示す位置)とした状態で、開口部35(フィルタ54)の上下方向の中央部に位置する。また、このフィルタ清掃部63は、図２(b)に示すように、シャッタ部62に対して一体的に設けられた剛性を有する細長い腕部77と、この腕部77の開口部35(フィルタ54)に対向する前側に設けられた除塵体78とを備えている。この除塵体78は、例えば不織布やブラシなどが用いられ、フィルタ54に対して接触された状態となっている。そして、このフィルタ清掃部63は、除塵体78がフィルタ54の後部の表面を摺動することによりこのフィルタ54に付着した塵埃を除去するように構成されている。
【００３８】
次に、上記一実施形態の作用を図１ないし図５を参照して説明する。
【００３９】
掃除の際には、まず、使用者は、掃除機本体12の本体吸込口19に、接続管部26を介してホース体21を連通接続し、このホース体21の先端側の手元操作部27に、延長管22および床ブラシ24を順次連通接続する。したがって、床ブラシ24の吸込室47(吸込口34)が電動送風機15の吸込側と連通する。
【００４０】
次いで、床ブラシ24を床面上に載置し、電源部から本体制御部および電動送風機15へと給電可能な状態として、把持部28を把持した使用者が所定の設定ボタン29を操作すると、この設定ボタン29により設定された動作モードに応じて本体制御部が電動送風機15の入力を制御して、電動送風機15が駆動される。
【００４１】
さらに、使用者は、床ブラシ24を床面上で前後に走行させることで、電動送風機15の駆動により生じる負圧の作用によって、床ブラシ24の先端側の吸込口34から塵埃を空気とともに吸い込む。
【００４２】
また、使用者は、床面の種類に応じて、回転ブラシ39を適宜回転させる。このとき、使用者が所定の設定ボタン29を操作すると、この設定ボタン29の操作に応じて、掃除機本体12側から配線を介して給電される電動機38が制御部41により駆動され、この電動機38の回転軸と連結された伝達部を介して回転ブラシ39が高速回転され、床面の塵埃を掻き出したり、床面を磨いたりなどの掃除補助をする。
【００４３】
さらに、吸込口34(吸込室47)に負圧が作用することで、電動機室48および制御室50内にも連通開口部59および排気開口部を介して負圧が作用し、電動機室48には、開口部35からフィルタ54を介して空気が吸い込まれ、制御室50には、通気開口部から空気がフィルタを介して吸い込まれる。
【００４４】
そして、電動機室48では、フィルタ54を通過した空気が電動機38のケース内に吸い込まれ、このケース内の電動機本体を冷却した後、ケースの外部に空気が排出され、連通開口部59へと通過する。また、制御室50では、フィルタを通過した空気が排気開口部へと通過するときに制御部41を冷却する。
【００４５】
電動機38および制御部41を冷却した空気は、連通開口部59および排気開口部から吸込室47へと吸い込まれる。そして、床ブラシ24の吸込室47に吸い込まれた空気は吸込風となり、接続管32から延長管22およびホース体21を介して、塵埃を本体吸込口19から集塵部18へと運び、この集塵部18にて塵埃を捕集する。
【００４６】
この後、塵埃が除去された吸込風は電動送風機15へと吸い込まれ、この電動送風機15を通過して排気風となり、掃除機本体12の後部などに設けられた図示しない排気口から掃除機本体12の外部へと排気される。
【００４７】
ここで、床ブラシ24を床面上で前後に走行させるときには、使用者は図４に示すように、床ブラシ24を床面Ｆに接地させた状態を維持しつつ把持部28(図５)とともに延長管22および床ブラシ24を前後に移動させる。このとき、床ブラシ24のケース体31に対して接続管32が上下方向に回動可能となっているため、床ブラシ24を前進させるときには延長管22を相対的に寝かせ、床ブラシ24を後進させるときには延長管22を起こすように動作させる。したがって、使用者が床ブラシ24を前後に移動させることより床ブラシ24と延長管22との上下方向の角度、換言すればケース体31と接続管32との上下方向の角度が変化する。すなわち、接続管32がケース体31に対して上下方向に回動する。そのため、この接続管32に一体的に設けられたフィルタ清掃部63が接続管32とともにケース体31に対して上下方向に回動することで(図４の実線および想像線)、図２(b)に示す除塵体78がフィルタ54の表面を摺動して、このフィルタ54に付着した塵埃を除去する。この結果、掃除時の通常の操作を行うことでフィルタ54が常時清掃され、塵埃が付着したままの状態となりにくい。
【００４８】
このように、上記第１の実施形態によれば、接続管32の回動に連動してフィルタ清掃部63が移動することにより除塵体78がフィルタ54の表面を摺動することでこのフィルタ54に付着した塵埃を除去するので、複雑な構造を用いることなくフィルタ清掃部63を容易に構成できる。
【００４９】
また、掃除が終了すると、使用者が設定ボタン29を操作することで、本体制御部が電動送風機15を停止させる。このとき、回転ブラシ39が動作している場合には、制御部41が電動機38も停止させる。この後、電気掃除機11を収納する際にも、例えば管部13を掃除機本体12の下部に引っ掛けて床ブラシ24を床面に載置する収納状態とする(例えば図６)ときに延長管22すなわち接続管32がケース体31に対して回動するため、この収納動作時にもフィルタ54に付着した塵埃を除去できる。
【００５０】
したがって、電動送風機15を停止させた状態、すなわち掃除前や掃除後など、掃除をしていないときであっても、接続管32をケース体31に対して回動させることでフィルタ54に付着した塵埃をフィルタ清掃部63によって除去できる。
【００５１】
次に、第２の実施形態を図７を参照して説明する。なお、上記第１の実施形態と同様の構成および作用については、同一符号を付してその説明を省略する。
【００５２】
この第２の実施形態は、上記第１の実施形態のフィルタ清掃部63が、中空状の区画部81と、連通部82とを備えるものである。
【００５３】
区画部81は、接続管32のシャッタ部62(シャッタ部本体65)の一側に突設され、接続開口部37の側縁部から一側へと突出して開口部35(フィルタ54)の後部に対向している。また、この区画部81は、内部が中空状の箱状部であり、内部に吸込風路84を区画している。この吸込風路84は、連通部82と連通し、開口部35(フィルタ54)の後部に対向してフィルタ54に付着した塵埃を吸い込むようになっている。
【００５４】
連通部82は、区画部81を電動送風機15の負圧が作用する部分、本実施形態ではシャッタ部62の内部に連通させるものである。この連通部82は、区画部81の端部から、シャッタ部62(シャッタ部本体65)の後部に接続され、このシャッタ部62(シャッタ部本体65)の後部から内部に連通して形成されている。
【００５５】
そして、電動送風機15の駆動により生じた負圧は、床ブラシ24の接続管32内にも作用しているので、フィルタ54に対向して位置する区画部81内の吸込風路84に連通部82を介して負圧が作用し、フィルタ54の表面に付着した塵埃を吸込風路84へと吸い込む。吸い込んだ塵埃は、連通部82からら接続管32へと導かれ、吸込口34から空気とともに吸い込む塵埃と同様に集塵部18へと吸い込まれて捕集される。
【００５６】
このように、第２の実施形態によれば、フィルタ54に付着した塵埃を、区画部81によって区画された吸込風路84内に吸い込むことができる。この吸込風路84による塵埃の吸い込み方向は、フィルタ54への塵埃の付着方向(前方向)に対して反対方向(後方向)となるので、フィルタ54に一旦付着した塵埃をフィルタ54に入り込ませにくく、より確実に除去できるとともに、除去した塵埃を、負圧を利用してそのまま集塵部18に捕集できる。
【００５７】
しかも、床ブラシ24では、電動送風機15の動作により生じる負圧が作用する部分が多数あるため、連通部82を介して吸込風路84をそのいずれかに連通させるように構成することで、フィルタ清掃部63の形状や配置などの自由度を向上できる。
【００５８】
なお、上記第２の実施形態において、区画部81の内部に、上記第１の実施形態の除塵体78と同様の除塵体を設けてもよい。この場合には、ケース体31に対する接続管32の回動によって除塵体がフィルタ54の表面を摺動してこのフィルタ54から除去した塵埃を、区画部81内の吸込風路84に吸い込むことができ、フィルタ54に付着した塵埃をより効率よく除去できる。
【００５９】
また、区画部81は、電動送風機15の駆動により負圧が作用する部分であれば、連通部82を介して、例えば吸込溝42などと連通させることもできる。
【００６０】
さらに、上記各実施形態において、フィルタ清掃部63は、ケース体31に対する接続管32の上下方向への回動だけでなく、軸回り方向への回動や左右方向の回動などに連動して移動させるようにしてもよい。
【００６１】
以上説明した少なくとも一つの実施形態によれば、フィルタ清掃部63を接続管32の回動、具体的に上下方向の回動に連動させて移動させるので、床ブラシ24(ケース体31)を前後に走行させる通常の掃除動作に伴ってフィルタ清掃部63がフィルタ54に付着した塵埃を除去するので、フィルタ54を掃除する作業を別途伴うことなく、すなわちフィルタ54のメンテナンスを意識することなく、通常使用するだけでフィルタ54に塵埃が付着していない状態を維持できる。
【００６２】
また、フィルタ54の上下方向の中央部と接続管32の上下方向の回動範囲の中央部とを略一致させたので、接続管32を回動範囲の中央部に位置させる通常の掃除位置から床ブラシ24(ケース体31)を前後に走行させることで接続管32が上下に回動するのに伴い、フィルタ清掃部63がフィルタ54の上側と下側とに交互に移動することとなり、フィルタ54全体から満遍なく塵埃を除去できる。
【００６３】
次に、第３の実施形態を図８ないし図１０を参照して説明する。なお、上記各実施形態と同様の構成および作用については、同一符号を付してその説明を省略する。
【００６４】
この第３の実施形態は、開口部35(フィルタ54)がケース体31の後部の下側寄りに配置されているとともに、上記各実施形態のフィルタ清掃部63に代えて、除塵手段(除塵部)としてのフィルタ清掃部86を備えるものである。
【００６５】
このフィルタ清掃部86は、図９(a)および図９(b)に示すように、被掃除面としての床面Ｆに対するケース体31(床ブラシ24)の相対的な移動(前後動)に連動してフィルタ54に付着した塵埃を除去するものである。
【００６６】
具体的に、このフィルタ清掃部86は、例えばエラストマなどの軟質の合成樹脂により板状に形成されている。このフィルタ清掃部86は、例えば四角形状の小片を多数連接させて、屈曲可能なシャッタ状に形成することもできる。また、このフィルタ清掃部86は、検知部87、除去部88および被ガイド部89(図１０(a)および図１０(b))を備えている。さらに、このフィルタ清掃部86には、連通口91が開口されている。また、このフィルタ清掃部86は、ケース体31の後部から下部に亘って配置されている。したがって、このフィルタ清掃部86は、ケース体31の後部下側の湾曲部92を跨いで湾曲して配置されている。そして、このフィルタ清掃部86は、図１０(a)および図１０(b)に示すように、ケース体31に設けられたガイド部93に被ガイド部89がガイドされることにより、図９(a)および図９(b)に示すようにケース体31の下部および後部に沿って側面視でＬ字状に摺動可能となっている。
【００６７】
検知部87は、床面Ｆとの摺動抵抗によりケース体31(床ブラシ24)の前後方向と逆に対応して前後方向に動作することでケース体31(床ブラシ24)の床面Ｆに対する移動を検知するものであり、ケース体31の下部に位置し、床ブラシ24を床面Ｆ上に載置した状態でケース体31と床面Ｆとの間で挟持されるようになっている。この検知部87には、床面Ｆとの摺動抵抗を増加させるための抵抗増加部としての接触部95が設けられていてもよい。この接触部95は、例えば不織布などであり、床ブラシ24を床面Ｆ上に載置した状態で床ブラシ24の重量によって床面Ｆに押圧されるようになっている。
【００６８】
除去部88は、検知部87の動作(移動)に連動してフィルタ54の表面に沿って移動することでこのフィルタ54に付着した塵埃を除去するものである。本実施形態では、この除去部88は、検知部87と一体にフィルタ清掃部86に設けられていることにより、床面Ｆとの摺動抵抗により前後方向に検知部87が移動することでケース体31の後部に沿って上下方向に移動するように構成されている。この除去部88は、ケース体31の後部に位置し、開口部35に対向可能となっている。この除去部88には、連通口91が開口されており、この連通口91の上縁部の位置に、フィルタ54の表面に接触する除塵体97が設けられている。そして、この除去部88は、ケース体31の後部下側の位置で上下方向に移動可能となっている。
【００６９】
図１０(a)および図１０(b)に示す被ガイド部89は、ガイド部93に嵌合していることで、図９(a)および図９(b)に示すように床面Ｆ上でケース体31(床ブラシ24)を前後に走行させたときに、このガイド部93とともにフィルタ清掃部86(検知部87および除去部88)の移動をガイドするものである。
【００７０】
図８に示す連通口91は、フィルタ清掃部86を厚み方向に貫通して、開口部35と略等しい四角形状に形成されている。この連通口91は、除去部88が開口部35に正対した状態でこの開口部35と連通することにより、開口部35を完全に閉塞してしまわないように形成されている。
【００７１】
そして、掃除の際に、床ブラシ24を床面上で前後に走行させると、図９(a)および図９(b)に示すように、床ブラシ24と床面Ｆとの間に接触部95が挟持された検知部87が、床面Ｆとの摺接抵抗により、床ブラシ24の移動方向と逆に対応して前後に摺動して、床ブラシ24の前後への移動を検知する。このとき、除去部88は、検知部87と一体にフィルタ清掃部86に設けられていることにより、検知部87が前方に摺動したときには検知部87に引っ張られて相対的に下方へと移動し、検知部87が後方に移動したときには検知部87に押されて相対的に上方へと移動する。そのため、除去部88に設けられた除塵体97がフィルタ54の表面に密着した状態で上下に摺動することで、除塵体97がフィルタ54に付着した塵埃を除去する。したがって、掃除時の通常の操作を行うことでフィルタ54が常時清掃され、塵埃が付着したままの状態となりにくい。なお、除去部88が下方へと移動したときは、開口部35(フィルタ54)の上側が開いているため、直接開口部35からフィルタ54を介して外気を電動機室48内に吸い込むことができる(図９(b))。また、除去部88が上方へと移動したときは、この除去部88の少なくとも一部が開口部35に対向する位置となるものの、連通口91が開口部35と連通することにより、連通口91を通じて開口部35からフィルタ54を介して外気を電動機室48内に吸い込むことができる(図９(a))。
【００７２】
このように、フィルタ清掃部86が、床面Ｆに対するケース体31の相対的な移動に連動してフィルタ54に付着した塵埃を除去するので、床ブラシ24(ケース体31)を前後に走行させる通常の掃除動作に伴ってフィルタ清掃部86がフィルタ54に付着した塵埃を除去するので、フィルタ54を掃除する作業を別途伴うことなく、すなわちフィルタ54のメンテナンスを意識することなく、通常使用するだけでフィルタ54に塵埃が付着していない状態を維持できる。
【００７３】
また、フィルタ清掃部86を、ケース体31の下部に設けられ床面Ｆとの摺動抵抗により動作する検知部87と、この検知部87の動作に連動しフィルタ54の表面を摺動することによりこのフィルタ54に付着した塵埃を除去する除去部88とで構成することで、床面Ｆに対するケース体31の相対的な移動に除去部88を簡単な構造で連動させることができ、フィルタ清掃部86を容易に構成できる。
【００７４】
なお、上記第３の実施形態において、検知部87と除去部88とはフィルタ清掃部86に一体に設けたが、これらを別体として、検知部87によりケース体31が床面Ｆ上で移動していることを検知したときに、この検知に対応して除去部88を移動させるように構成することもできる。
【００７５】
また、上記各実施形態において、電動機38は、回転ブラシ39を回転駆動させるものとしたが、例えば自走用の回転体である駆動輪を回転駆動させるものや、被掃除面を叩打するビータを駆動させるものなどでもよい。すなわち、電動機38は、回転ブラシ39の回転駆動に限らず、任意の回転体の回転や、その他の部材の駆動に用いることができる。
【００７６】
さらに、制御部41については、電動機38と比較して通電時の発熱量が少ないため、通気開口部に配置されたフィルタの除塵手段を設けていないが、制御部41が通電時の発熱量が多い通電部である場合には、上記各実施形態と同様の除塵手段を設けることもできる。
【００７７】
電気掃除機11としては、キャニスタ型に限らず、上下方向に長手状の掃除機本体12の下部に床ブラシ24を接続するアップライト型の電気掃除機や、掃除機本体12に対して延長管22を介して床ブラシ24を接続するスティック型の電気掃除機などでも適用できる。
【００７８】
以上説明した少なくとも一つの実施形態によれば、電動機室48と連通する開口部35を覆って配置したフィルタ54に付着した塵埃をフィルタ清掃部63，86によって除去するので、経時的なフィルタ54の塵埃による目詰まりを抑制できる。したがって、このフィルタ54の目詰まりによって電動機室48に収容された電動機38を冷却するための空気の吸込量が低減することを抑制でき、電動機38の冷却性能を長期維持でき、使用時間によらず電動機38を確実に冷却できる。
【００７９】
特に、近年、より強い回転力を得るために、ネオジム磁石を用いた電動機38が採用されることがあり、ネオジム磁石は、熱減磁が生じやすいので、より効率よく電動機38を冷却することが求められる。そこで、上記のようなフィルタ清掃部63，86を用いることで、ネオジム磁石を用いる電動機38であっても冷却性能を長期維持できるので、電動機38を冷却して強い回転力を維持できる。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
11    電気掃除機
12    掃除機本体
15    電動送風機
24    吸込口体としての床ブラシ
31    ケース体
32    接続管
34    吸込口
35    開口部
38    通電部としての電動機
48    通電部収容室としての電動機室
54    フィルタ
63，86    除塵手段としてのフィルタ清掃部
81    区画部
82    連通部
84    吸込風路
87    検知部
88    除去部
Ｆ    被掃除面としての床面
【図１】
2017144054.tif 000003
【図２】
2017144054.tif 000004
【図３】
2017144054.tif 000005
【図４】
2017144054.tif 000006
【図５】
2017144054.tif 000007
【図６】
2017144054.tif 000008
【図７】
2017144054.tif 000009
【図８】
2017144054.tif 000010
【図９】
2017144054.tif 000011
【図１０】
2017144054.tif 000012